(57)【要約】【課題】配光形状を選択することができるとともに光源の高さ調整を行うことができる照明器具を提供する。【解決手段】器具本体２０を吊り下げている吊具１１を調整することにより、容易に光源２３の高さを調整することができる。また、器具本体２０から下方外側に向かって脚２１を突出させて、脚２１内に第1の光源２３を設けたので、器具本体２０の下面に設けられている配線ダクト４０は、第１の光源２３よりも上方に位置することになる。このため、配線ダクト４０は目立ちにくく、外観を損なうのを防止できる。また、配線ダクトに第２の光源４１を移動可能に取り付けた際に、第２の光源４１が脚２１の先端から突出する突出量が小さいため、器具１０の全高を抑えることができ、外観を改善することができる。【選択図】図１
2008269925.tif 000002
【特許請求の範囲】
【請求項１】
器具本体を吊り下げて使用する吊り下げ式の照明器具であって、
前記器具本体から下方外側に向かって脚を突出させるとともに、前記器具本体の下面に配線ダクトを設け、
前記脚内に第1の光源を設け、
前記配線ダクトに第２の光源を移動可能に設けた照明器具。
【請求項２】
前記脚内における前記第１の光源の照射方向前方にプレート部を設けた請求項１記載の照明器具。
【請求項３】
前記脚の少なくとも外側の傾斜面に第２のプレート部を設けた請求項1または２記載の照明器具。
【請求項４】
前記第１のプレート部の内側に、当該第１のプレート部を前記脚部に締結する取付台を設けた請求項1ないし請求項３のいずれかに記載の照明器具。
【発明の詳細な説明】
【技術分野】
【０００１】
本発明は、照明器具本体を吊り下げて使用する照明器具に関するものである。
【背景技術】
【０００２】
従来の照明器具は、天井等に直付けして使用する直付け型の照明器具（例えば特許文献１参照）や、天井等から吊り下げて使用する吊り下げ型の照明器具が知られている（例えば特許文献２参照）。
【０００３】
図５に示すように、直付け型の照明器具１００では、器具本体１０１を天井面１０２に直接取り付けたものであり、器具本体１０１には光源である蛍光灯１０３が着脱可能に取り付けられている。また、器具本体１０１の中心部先端（下端）には、配線ダクト１０４が設けられており、第２の光源として、例えばスポットライト等がスライド可能かつ点灯可能に取り付けられるようになっている。
【０００４】
また、図６に示すように、吊り下げ型の照明器具１１０では、器具本体２０１が吊具１１２を用いて天井面１１３から吊り下げられている。器具本体２０１の内部には光源である蛍光灯１１４が設けられており、反射板１１５によって主に下方へ光を照射している。なお、器具本体２０１における蛍光灯１１４の下面には、ルーバー１１６が垂直方向に設けられている。
【特許文献１】特開昭５１−７４４８２号公報
【特許文献２】特開２００４−５５３０５号公報
【発明の開示】
【発明が解決しようとする課題】
【０００５】
しかしながら、前述した従来の直付け型の照明器具１００においては、配線ダクト１０４に移動可能な光源を設けることができるが、この場合、配線ダクト１０４が器具本体１０１の下部に露出して設けられており、蛍光灯１０３の光が当たりやすいため、外観上好ましくない。また、配線ダクト１０４にスポットライトを取り付けた場合には、スポットライトが器具本体１０１の下方に突出するため、照明器具１００の高さが大きくなるという問題があった。さらに、直付けであるため、蛍光灯１０３の高さの調整ができないという問題があった。
また、前述した吊り下げ型の照明器具１１０においては、光源である蛍光灯１１４の高さ調整ができるものの、配光形状は一定であり、配光形状を変更するには反射板１１５等を追加しなければならず、外観上問題があるとともに、コストアップを招くという問題があった。
【０００６】
本発明は、従来の問題を解決するためになされたもので、配光形状を容易に選択することができるとともに光源の高さ調整を行うことができる照明器具を提供することを目的とする。
【課題を解決するための手段】
【０００７】
本発明の照明器具は、器具本体を吊り下げて使用する吊り下げ式の照明器具であって、前記器具本体から下方外側に向かって脚を突出させるとともに、前記器具本体の下面に配線ダクトを設け、前記脚内に第1の光源を設け、前記配線ダクトに第２の光源を移動可能に設けた構成を有している。
【０００８】
この構成により、器具本体を吊り下げている吊具を調整することにより、容易に光源の高さを調整することができる。また、器具本体から下方外側に向かって脚を突出させて、脚内に第1の光源を設けたので、器具本体の下面に設けられている配線ダクトは、第１の光源よりも上方に位置することになる。このため、配線ダクトは目立ちにくく、外観を損なうのを防止できる。また、配線ダクトに第２の光源を移動可能に取り付けた際に、第２の光源が脚の先端から突出する突出量が小さいため、器具の全高を抑えることができ、外観を改善することができる。
【０００９】
また、本発明の照明器具は、前記脚内における前記第１の光源の照射方向前方にプレート部を設けた構成を有している。
【００１０】
この構成により、第１の光源の照射方向前方（すなわち下方）に設けられたプレート部を交換することにより、配光形状を容易に選択することができる。例えば、真下への照度が必要な場合にはルーバーを取り付けたり、輝度を落としつつ明るさが必要な場合には、パンチングメタルを取り付けることができる。また、間接照明が必要な場合には、不透過材を用いて下方への光の照射を防止し、上方への光の反射によって間接的に光を照射することができる。
【００１１】
さらに、本発明の照明器具は、前記脚の少なくとも外側の傾斜面に第２のプレート部を設けた構成を有している。
【００１２】
この構成により、脚の外側の傾斜面に設けた第２のプレート部が、脚の外側の傾斜面から外側へ照射される第１の光源からの光を遮断するので、浅い角度から照明器具を見上げた場合に第１の光源が直接見えないようになっている。これにより、まぶしさ感を抑えるとともに、脚内部の例えば反射板等を見えにくくして、外観を改善することができる。
【００１３】
さらに、本発明の照明器具は、前記第１のプレート部の内側に、当該第１のプレート部を前記脚部に締結する取付台を設けた構成を有している。
【００１４】
この構成により、第１のプレート部を脚に取り付ける取付台が、脚部の内側に設けられているので、取付部を見えにくくして、外観を改善することができる。
【発明の効果】
【００１５】
本発明は、器具本体を吊り下げている吊具を調整することにより、容易に光源の高さを調整することができる。また、器具本体から下方外側に向かって脚を突出させて、脚内に第1の光源を設けたので、器具本体の下面に設けられている配線ダクトは、第１の光源よりも上方に位置することになる。このため、配線ダクトは目立ちにくく、外観を損なうのを防止できる。また、配線ダクトに第２の光源を移動可能に取り付けた際に、第２の光源が脚の先端から突出する突出量が小さいため、器具の全高を抑えることができ、外観を改善することができるという効果を有する照明器具を提供することができるものである。
【発明を実施するための最良の形態】
【００１６】
以下、本発明の実施の形態の照明器具について、図面を用いて説明する。
図１は本発明の第１の実施の形態にかかる照明器具を下方から見た斜視図、図２は照明器具の断面図、図３は照明器具の端部を上方から見た斜視図、図４（Ａ）〜（Ｃ）はプレート部の例を示す斜視図である。
【００１７】
図１および図２において、本発明にかかる照明器具１０は、器具本体２０を吊具１１によって天井１２等から吊り下げて使用するものである。吊具１１は、少なくとも器具本体２０の両端部に設けられており、例えば、横方向（図２において左右方向）に揺れ難いように各々２本のワイヤ１１ａを有している。ワイヤ１１ａの上端は、取付金具１３を介して天井１１に固定されており、ワイヤ１１ａの下端は器具本体２０の天板２２に取り付けられている。
【００１８】
図１〜図３に示すように、器具本体２０は、例えば矩形箱状の部材であり、少なくとも器具本体２０の前後両端部には、下方両外側に向かって脚２１が突出して設けられている。脚２１は、下方外側に傾斜した矩形箱状の支持部２１ａと、支持部２１ａの先端に設けられた三角形状の収容部２１ｂを有しており、収容部２１ｂの下辺は水平に形成されている。脚２１の先端で収容部２１ｂの外側端は、曲げ上げられて外ガイドレール２１ｄが形成されている。また、収容部２１ｂの中央側端には、内ガイドレール２１ｅが設けられている。なお、外観を向上させるために、脚２１の端面は器具本体２０の端面と同一面に位置するように設けるのが望ましい。
【００１９】
脚２１の収容部２１ｂには、第1の光源である蛍光灯２３の両端部を保持するとともに電源と導通させるためのソケット２４が取り付けられており、蛍光灯２３が器具本体２０に沿って交換可能に取り付けられている。収容部２１ｂにおける蛍光灯２３の外側には、反射板２６が蛍光灯２３に沿って設けられており、蛍光灯２３から照射される光を下方へ反射するようになっている。反射板２６は、脚２１に設けられているリブ２１ｃにねじ２６ａによって取り付けられている。
【００２０】
また、脚２１における蛍光灯２３の照射方向前方（図２において下方）には、プレート部３０が交換可能に設けられている。プレート部３０として、例えば、図４（Ａ）に示すような光を透過させない不透過材３１や、図４（Ｂ）に示すような所定間隔で板材３２ａを取り付け主に下方に光を照射するルーバー３２や、図４（Ｃ）に示すような金属板に所望の穴３３ａや形状を打ち抜いたパンチングメタル３３等を取り付けることができる。
【００２１】
これにより、例えば、間接照明が必要な場合には不透過材３１を取り付け、下方への照度が必要な場合にはルーバー３２を取り付け、あるいは輝度を落としつつ明るさが必要な場合にはパンチングメタル３３を取り付けること等を選択するができ、配光形状を選択することができる。
【００２２】
図２に示すように、プレート部３０は、平面部３０ａと、平面部３０ａの両端部を曲げあげた縦壁部３０ｂと、縦壁部３０ｂの先端をＣ字形状に折り返した引っ掛け部３０ｃを有している。従って、プレート部３０の長手方向端部の引っ掛け部３０ｃ、３０ｃを、脚２１の外ガイドレール２１ｄおよび内ガイドレール２１ｅの長手方向端部に引っ掛けて、スライドさせることにより脚２１の下端部に容易に取り付けられるようになっている。なお、プレート部３０には中央側の縦壁部３０ｂ内面に取付台３０ｄを設けておき、脚２１の内ガイドレール２１ｅにねじ３０ｅで固定する。これにより、取付部を見えにくくして、外観を改善することができる。
【００２３】
図１および図２に示すように、器具本体２０の下面である底板２５には配線ダクト４０が設けられており、この配線ダクト４０には第２の光源であるスポットライト４１が移動可能に設けられている。このようにスポットライト４１を設けることにより、間接照明だが下方への光束を得たり、任意の方向を照射したりすることで、配光形状の選択幅を広げることができる。
【００２４】
配線ダクト４０は下面の中央部が長手方向に沿って開口した断面Ｃ字形状の柱状部材であり、内部には移動するスポットライト４１に電源を供給するための端子４０ａを有している。スポットライト４１は、電球を内部に有する器具本体４１ａと、この器具本体４１ａを下端に支持するアーム４１ｂを有しており、アーム４１ｂの上端には、配線ダクト４０に沿って移動するとともに、配線ダクト４０から電源を供給されるスライダ４１ｃが設けられている。
【００２５】
脚２１の少なくとも外側の傾斜面２１ｇ、特に下端部すなわち反射板２６の外側には、第２のプレート部３４が取り付けられている。第２のプレート部３４としては、遮光版を用いることができる。第２のプレート部３４には取付部３４ａを設けておき、脚２１に設けられているリブ２１ｃにねじ３４ｂで取り付ける。
【００２６】
以上、説明したように、本発明にかかる照明器具１０では、器具本体２０を吊り下げている吊具１１を調整することにより、容易に光源の高さを調整することができる。また、器具本体２０から下方外側に向かって脚２１を突出させて、脚２１に第1の光源である蛍光灯２３を設けたので、器具本体２０の下面に設けられている配線ダクト４０は、蛍光灯２３よりも上方に位置することになる。このため、配線ダクト４０は目立ちにくく、外観を損なうのを防止できる。また、配線ダクト４０に第２の光源であるスポットライト４１を移動可能に取り付けた際に、スポットライト４１の突出量が小さいため、照明器具１０の全高を抑えることができ、外観を改善することができる。
【００２７】
また、脚２１の外側の傾斜面２１ｇに設けた第２のプレート部３４が、脚２１の外側へ照射される蛍光灯２３からの光を遮断するので、浅い角度から照明器具１０を見上げた場合に蛍光灯２３が直接見えないようになっている。これにより、まぶしさ感を抑えるとともに、脚２１内部の例えば反射板２６等を見えにくくして、外観を改善することができる。
【００２８】
なお、本発明の照明器具１０は、前述した実施形態に限定されるものでなく、適宜な変形，改良等が可能である。
例えば、前述した実施形態において、吊具１１としてワイヤ１１ａを用いた場合について例示したが、吊具１１として、伸縮および固定可能で長さ調整可能な棒状部材等を用いることもできる。
また、前述した実施形態においては、器具本体２０を細長い矩形箱状とし、プレート３０を長方形状とし、蛍光灯２３を直管とした場合について説明したが、形状はこれに限るものではない。例えば、円形およびリング状とすることもできる。
【産業上の利用可能性】
【００２９】
以上のように、本発明にかかる照明器具は、器具本体を吊り下げている吊具を調整することにより、容易に光源の高さを調整することができる。また、器具本体から下方外側に向かって脚を突出させて、脚内に第1の光源を設けたので、器具本体の下面に設けられている配線ダクトは、第１の光源よりも上方に位置することになる。このため、配線ダクトは目立ちにくく、外観を損なうのを防止できる。また、配線ダクトに第２の光源を移動可能に取り付けた際に、第２の光源が脚の先端から突出する突出量が小さいため、器具の全高を抑えることができ、外観を改善することができるという効果を有し、照明器具本体を吊り下げて使用する照明器具等として有用である。
【図面の簡単な説明】
【００３０】
【図１】本発明の第１の実施の形態にかかる照明器具を下方から見た斜視図
【図２】照明器具の断面図
【図３】照明器具の端部を上方から見た斜視図
【図４】（Ａ）〜（Ｃ）はプレート部の例を示す斜視図
【図５】（Ａ）は従来の直付型の照明器具を示す斜視図、（Ｂ）は（Ａ）中Ｂ-Ｂ位置の断面図
【図６】（Ａ）は従来の吊り下げ型の照明器具を示す斜視図、（Ｂ）は（Ａ）中Ｂ-Ｂ位置の断面図
【符号の説明】
【００３１】
１０  照明器具
２０  器具本体
２１  脚
２１ｇ  外側の傾斜面
２３  蛍光灯（第1の光源）
３０  プレート部
３０ｄ  取付台
３４  第２のプレート部
４０  配線ダクト
４１  スポットライト（第２の光源）
【図１】
2008269925.tif 000003
【図２】
2008269925.tif 000004
【図３】
2008269925.tif 000005
【図４】
2008269925.tif 000006
【図５】
2008269925.tif 000007
【図６】
2008269925.tif 000008